(57)【要約】【課題】装置の大型化の抑制を図ることが可能な空気搬送装置を提供する。【解決手段】この空気搬送装置１００は、壁面１ａと、壁面１ａの一方端側から壁面１ａに交差する方向に延びるように設けられる天井面２ａと、壁面１ａの他方端側から壁面１ａに交差する方向に延びるとともに天井面２ａと対向するように設けられる天井面１ｂとにより囲まれるとともに、壁面１ａと対向する側が開放されている半閉鎖空間３において、天井面２ａの表面上に設けられ、空気の排出方向に沿って配列される複数の空気吹出口２ｂを備える。そして、空気搬送装置１００は、複数の空気吹出口２ｂの各々が、上記排出方向に沿う方向であるとともに、壁面１ａに向かって傾斜する方向で、かつ、天井面１ｂに向かって傾斜する方向に空気を吹き出すように構成されている。【選択図】図１
2019066075.tif 000002
【特許請求の範囲】
【請求項１】
第１面と、前記第１面の一方端側から前記第１面に交差する方向に延びるように設けられる第２面と、前記第１面の他方端側から前記第１面に交差する方向に延びるとともに前記第２面と対向するように設けられる第３面とにより囲まれるとともに、前記第１面と対向する側が開放されている半閉鎖空間において、前記第２面の表面上に設けられ、空気の排出方向に沿って配列される複数の空気吹出口を備え、
前記複数の空気吹出口の各々は、前記排出方向に沿う方向であるとともに、前記第１面に向かって傾斜する方向で、かつ、前記第２面または前記第３面に向かって傾斜する方向に空気を吹き出すように構成されている、空気搬送装置。
【請求項２】
前記空気吹出口から吹き出され、前記第１面により反射されて前記第２面または前記第３面に沿って前記半閉鎖空間の開放されている側に移動した空気は、前記空気吹出口から吹き出される空気によって形成される負圧域によって前記半閉鎖空間内に誘引されるとともに、前記排出方向に向かう竜巻流を形成するように構成されている、請求項１に記載の空気搬送装置。
【請求項３】
前記複数の空気吹出口の各々は、前記第２面の前記表面上において、前記第１面側の端部と前記半閉鎖空間の開放されている側の端部との間の中央に対して、前記半閉鎖空間の開放されている側に配置されている、請求項１または２に記載の空気搬送装置。
【請求項４】
前記第２面に対して垂直な方向から見て、一の前記空気吹出口からの空気の吹き出し方向の延長線上に、前記一の空気吹出口に対して前記排出方向に隣接する他の前記空気吹出口が位置しないように、前記一の空気吹出口からの空気の吹き出し角度が調整されている、請求項１〜３のいずれか１項に記載の空気搬送装置。
【請求項５】
前記複数の空気吹出口の各々は、空気の吹き出し角度が可変に構成されるとともに、複数の板状のルーバを含む、請求項１〜４のいずれか１項に記載の空気搬送装置。
【請求項６】
前記複数のルーバは、空気の吹き出し方向の上流側に設けられ、前記第１面と、前記第２面または前記第３面とのうちのいずれか一方に対する空気の吹き出し方向の傾斜角度を制御する第１ルーバと、空気の吹き出し方向の下流側において前記第１ルーバに積層するように設けられ、前記第１面と、前記第２面または前記第３面とのうちの他方に対する空気の吹き出し方向の傾斜角度を制御する第２ルーバとを有する、請求項５に記載の空気搬送装置。
【請求項７】
前記複数のルーバを固定する枠状のルーバ固定部と、
前記ルーバ固定部の空気の吹き出し方向とは反対側に配置され、前記ルーバ固定部に固定された前記ルーバの吹き出し角度を調整するためのスペーサとをさらに備える、請求項５または６に記載の空気搬送装置。
【請求項８】
複数のショーケースが壁面に沿って設けられている店舗内において、前記壁面である前記第１面と、前記複数のショーケースの天井面である前記第２面と、前記店舗の天井面である前記第３面とにより囲まれるとともに、前記第１面と対向する側が開放されている前記半閉鎖空間において、前記ショーケースに内蔵されている冷凍機の排熱吹出口である前記空気吹出口は、前記複数のショーケースの各々の天井面の表面上に設けられている、請求項１〜７のいずれか１項に記載の空気搬送装置。
【請求項９】
第１面と、前記第１面の一方端側から前記第１面に交差する方向に延びるように設けられる第２面と、前記第１面の他方端側から前記第１面に交差する方向に延びるとともに前記第２面と対向するように設けられる第３面とにより囲まれるとともに、前記第１面と対向する側が開放されている半閉鎖空間において、
前記第２面の表面上に空気の排出方向に沿って配列される複数の空気吹出口の各々から、前記排出方向に沿う方向であるとともに、前記第１面に向かって傾斜する方向で、かつ、前記第２面または前記第３面に向かって傾斜する方向に空気を吹き出すことによって、前記空気吹出口から吹き出された後、前記第１面により反射されて前記半閉鎖空間の開放されている側に移動した空気を、前記空気吹出口から吹き出される空気によって形成される負圧域によって、前記半閉鎖空間内に誘引するとともに前記排出方向に向かう竜巻流を形成して空気を搬送する、空気搬送方法。
【発明の詳細な説明】
【技術分野】
【０００１】
この発明は、空気搬送装置および空気搬送方法に関し、特に、複数の空気吹出口から吹き出される空気を搬送する空気搬送装置および空気搬送方法に関する。
【背景技術】
【０００２】
従来、複数の空気吹出口から吹き出される空気を搬送する空気搬送装置および空気搬送方法が知られている（たとえば、特許文献１参照）。
【０００３】
上記特許文献１には、エアー吹出口が設けられた４本のエアー吹出パイプを備える人工竜巻式局所排気装置が開示されている。４本のエアー吹出パイプは、互いに間隔を隔てて配置されている。また、４本のエアー吹出パイプの各々は、４本のエアー吹出パイプの各々から吹き出される空気が同一方向に回転するように、床面に対して垂直に配置されている。また、上記人工竜巻式局所排気装置は、４本のエアー吹出パイプの長手方向の上端に設けられる遮蔽板と、遮蔽板の略中心軸線上に設けられる吸引孔とを備える。４本のエアー吹出パイプのエアー吹出口から吹き出された空気により旋回気流が形成され、旋回気流が吸引孔により吸引されることにより人工竜巻が発生する。この人工竜巻に汚染物が巻き込まれることにより、吸引孔から汚染物が排出される。
【先行技術文献】
【特許文献】
【０００４】
【特許文献１】特開平４−３０９７３４号公報
【発明の概要】
【発明が解決しようとする課題】
【０００５】
しかしながら、上記特許文献１に記載の人工竜巻式局所排気装置では、４本のエアー吹出パイプのエアー吹出口から吹き出された空気により旋回気流を形成するために、４本のエアー吹出パイプを互いに間隔を隔てて配置する必要があるため、装置が大型化するという問題点がある。
【０００６】
この発明は、上記のような課題を解決するためになされたものであり、この発明の１つの目的は、装置の大型化の抑制を図ることが可能な空気搬送装置および空気搬送方法を提供することである。
【課題を解決するための手段】
【０００７】
上記目的を達成するために、この発明の第１の局面による空気搬送装置は、第１面と、第１面の一方端側から第１面に交差する方向に延びるように設けられる第２面と、第１面の他方端側から第１面に交差する方向に延びるとともに第２面と対向するように設けられる第３面とにより囲まれるとともに、第１面と対向する側が開放されている半閉鎖空間において、第２面の表面上に設けられ、空気の排出方向に沿って配列される複数の空気吹出口を備え、複数の空気吹出口の各々は、排出方向に沿う方向であるとともに、第１面に向かって傾斜する方向で、かつ、第２面または第３面に向かって傾斜する方向に空気を吹き出すように構成されている。
【０００８】
ここで、空気吹出口から吹き出された空気の一部は、各面および隣接する空気吹出口から吹き出された空気と衝突して、第２面または第３面に沿って半閉鎖空間の開放されている側に移動する。そこで、この発明の第１の局面による空気搬送装置では、上記のように、複数の空気吹出口の各々が、排出方向に沿う方向であるとともに、第１面に向かって傾斜する方向で、かつ、第２面または第３面に向かって傾斜する方向に空気を吹き出すことにより、排出方向に隣接する空気吹出口から空気が吹き出されることによって形成される負圧域により、半閉鎖空間の開放されている側に移動した空気を半閉鎖空間内に誘引することができるとともに、排出方向に向かう竜巻流を形成することができる。すなわち、半閉鎖空間を利用することにより、複数の空気吹出口の列を複数設けるとともに上記複数の列を互いに間隔を隔てて設けなくても、第２面の表面上に複数の空気吹出口により構成された１つの列を設けるだけで、排出方向に向う竜巻流を容易に形成することができる。これにより、竜巻流を形成して空気を排出する装置の大型化の抑制を図ることができる。
【０００９】
また、負圧域によって、半閉鎖空間の開放されている側に移動した空気が半閉鎖空間内に誘引されることによって、空気が半閉鎖空間外に漏れるのを抑制することができる。これにより、排熱または汚染空気が半閉鎖空間外に漏れて室内に拡散されるのを容易に抑制することができる。
【００１０】
上記第１の局面による空気搬送装置において、好ましくは、空気吹出口から吹き出され、第１面により反射されて第２面または第３面に沿って半閉鎖空間の開放されている側に移動した空気は、空気吹出口から吹き出される空気によって形成される負圧域によって半閉鎖空間内に誘引されるとともに、排出方向に向かう竜巻流を形成するように構成されている。このように構成すれば、半閉鎖空間に形成された負圧域を利用することにより、排出方向に向う竜巻流を容易に形成することができる。
【００１１】
上記第１の局面による空気搬送装置において、好ましくは、複数の空気吹出口の各々は、第２面の表面上において、第１面側の端部と半閉鎖空間の開放されている側の端部との間の中央に対して、半閉鎖空間の開放されている側に配置されている。ここで、負圧域は、周囲の風速との風速差が大きい位置に形成される。すなわち、負圧域は、風速が最も大きい空気吹出口の近傍に形成される。したがって、複数の空気吹出口の各々を、第２面の表面上において、第１面側の端部と半閉鎖空間の開放されている側の端部との間の中央に対して、半閉鎖空間の開放されている側に配置することによって、負圧域を、半閉鎖空間の開放されている側に近い位置に形成することができる。これにより、空気が半閉鎖空間外に漏れるのを効果的に抑制することができる。
【００１２】
上記第１の局面による空気搬送装置において、好ましくは、第２面に対して垂直な方向から見て、一の空気吹出口からの空気の吹き出し方向の延長線上に、一の空気吹出口に対して排出方向に隣接する他の空気吹出口が位置しないように、一の空気吹出口からの空気の吹き出し角度が調整されている。このように構成すれば、一の空気吹出口から吹き出された空気と、他の空気吹出口から吹き出された空気との衝突を抑制することができるので、衝突により空気が半閉鎖空間外にはじき出されるのを抑制することができる。その結果、空気が半閉鎖空間外に漏れるのをさらに抑制することができる。
【００１３】
上記第１の局面による空気搬送装置において、好ましくは、複数の空気吹出口の各々は、空気の吹き出し角度が可変に構成されるとともに、複数の板状のルーバを含む。このように構成すれば、吹き出される空気の量または速度が変化した場合であっても、その変化量に対応してルーバの角度を調整することによって、空気の搬送に最適な吹き出し角度に変更することができる。
【００１４】
上記複数の空気吹出口の各々が複数の板状のルーバを含む空気搬送装置において、好ましくは、複数のルーバは、空気の吹き出し方向の上流側に設けられ、第１面と、第２面または第３面とのうちのいずれか一方に対する空気の吹き出し方向の傾斜角度を制御する第１ルーバと、空気の吹き出し方向の下流側において第１ルーバに積層するように設けられ、第１面と、第２面または第３面とのうちの他方に対する空気の吹き出し方向の傾斜角度を制御する第２ルーバとを有する。このように構成すれば、第１ルーバおよび第２ルーバの各々の角度を調整することによって、第１面と、第２面または第３面とに対して、容易に（広範囲に）空気の吹き出し角度を調整することができる。
【００１５】
上記複数の空気吹出口の各々が複数の板状のルーバを含む空気搬送装置において、好ましくは、複数のルーバを固定する枠状のルーバ固定部と、ルーバ固定部の空気の吹き出し方向とは反対側に配置され、ルーバ固定部に固定されたルーバの吹き出し角度を調整するためのスペーサとをさらに備える。このように構成すれば、スペーサを配置するだけで空気の吹き出し角度を調整することができるので、空気の吹き出し角度を調整するためにルーバに複雑な機構を持たせる必要がない。その結果、ルーバ（空気吹出口）の構成を簡略化することができる。
【００１６】
上記第１の局面による空気搬送装置において、好ましくは、複数のショーケースが壁面に沿って設けられている店舗内において、壁面である第１面と、複数のショーケースの天井面である第２面と、店舗の天井面である第３面とにより囲まれるとともに、第１面と対向する側が開放されている半閉鎖空間において、ショーケースに内蔵されている冷凍機の排熱吹出口である空気吹出口は、複数のショーケースの各々の天井面の表面上に設けられている。このように構成すれば、半閉鎖空間を利用することにより、ショーケースの天井面にのみ複数の空気吹出口を配列することによって、排出方向に向う竜巻流を容易に形成することができる。その結果、竜巻流を形成して空気を排出する装置の大型化の抑制を図ることができる。
【００１７】
また、負圧域によって、半閉鎖空間の開放されている側に移動した空気が半閉鎖空間内に誘引されることによって、空気が半閉鎖空間外に漏れるのを抑制することができる。これにより、冷凍機の排熱吹出口から吹き出される排熱が半閉鎖空間外に漏れて店舗内に拡散されるのを容易に抑制することができる。
【００１８】
この発明の第２の局面による空気搬送方法は、第１面と、第１面の一方端側から第１面に交差する方向に延びるように設けられる第２面と、第１面の他方端側から第１面に交差する方向に延びるとともに第２面と対向するように設けられる第３面とにより囲まれるとともに、第１面と対向する側が開放されている半閉鎖空間において、第２面の表面上に空気の排出方向に沿って配列される複数の空気吹出口の各々から、排出方向に沿う方向であるとともに、第１面に向かって傾斜する方向で、かつ、第２面または第３面に向かって傾斜する方向に空気を吹き出すことによって、空気吹出口から吹き出された後、第１面により反射されて半閉鎖空間の開放されている側に移動した空気を、空気吹出口から吹き出される空気によって形成される負圧域によって、半閉鎖空間内に誘引するとともに排出方向に向かう竜巻流を形成して空気を搬送する。
【００１９】
この発明の第２の局面による空気搬送方法では、上記のように、複数の空気吹出口の各々から、排出方向に沿う方向であるとともに、第１面に向かって傾斜する方向で、かつ、第２面または第３面に向かって傾斜する方向に空気を吹き出すことによって、空気吹出口から吹き出された後、第１面により反射されて半閉鎖空間の開放されている側に移動した空気を、空気吹出口から吹き出される空気によって形成される負圧域によって、半閉鎖空間内に誘引するとともに排出方向に向かう竜巻流を形成して空気を搬送する。これにより、半閉鎖空間を利用することにより、複数の空気吹出口の列を複数設けるとともに上記複数の列を互いに間隔を隔てて設けなくても、第２面の表面上に複数の空気吹出口により構成された１つの列を設けるだけで、排出方向に向う竜巻流を容易に形成することができる。その結果、竜巻流を形成して空気を排出する装置の大型化の抑制を図ることができる。
【発明の効果】
【００２０】
本発明によれば、上記のように、装置の大型化の抑制を図ることができる。
【図面の簡単な説明】
【００２１】
【図１】一実施形態による空気搬送装置の構成を示す側面図である。
【図２】一実施形態による空気搬送装置の構成を示す平面図である。
【図３】図２の拡大図である。
【図４】一実施形態による空気搬送装置の空気吹出口の斜視図である。
【図５】一実施形態による空気搬送装置の複数の空気吹出口の各々の空気の吹き出し角度を説明するための図である。
【図６】一実施形態による空気搬送装置の空気吹出口からの空気により形成される竜巻流を説明するための図である。
【図７】一実施形態による空気搬送装置の空気吹出口の構成を示す図である。
【図８】一実施形態による排熱（空気）の半閉鎖空間からの流出割合を示すシミュレーション結果を説明するためのグラフである。
【図９】一実施形態の第１変形例による空気吹出口の構成を示す図である。
【図１０】一実施形態の第２変形例による空気吹出口の構成を示す図である。（図１０（ａ）は、スペーサの構成を示す図である。図１０（ｂ）および図１０（ｃ）は、スペーサを配置した空気吹出口の構成を示す図である。）
【図１１】一実施形態の第３変形例による空気吹出口の構成を示す図である。
【図１２】一実施形態の第４変形例による空気吹出口の構成を示す図である。
【図１３】一実施形態の第５変形例による空気吹出口の構成を示す図である。
【図１４】一実施形態の第６変形例による空気吹出口の構成を示す図である。
【図１５】一実施形態の第７変形例による空気搬送装置の構成を示す図である。
【発明を実施するための形態】
【００２２】
以下、本発明を具体化した実施形態を図面に基づいて説明する。
【００２３】
［実施形態］
図１〜図８を参照して、本実施形態による空気搬送装置１００の構成について説明する。
【００２４】
（空気搬送装置の構成）
まず、図１を参照して、空気搬送装置１００の概略の構成について説明する。図１に示すように、空気搬送装置１００は、コンビニエンスストア等の店舗１内に配置されている。店舗１内には、複数（第１実施形態では８つ（図２参照））のオープンショーケース２が設置されている。各オープンショーケース２は、店舗１の壁面１ａに沿って設けられている。なお、オープンショーケース２および壁面１ａは、特許請求の範囲の「ショーケース」および「第１面」の一例である。
【００２５】
また、複数のオープンショーケース２の天井面２ａは、壁面１ａの一方端側（Ｚ２方向側）から壁面１ａに交差する方向（Ｘ１方向側）に延びるように設けられている。また、店舗１の天井面１ｂは、壁面１ａの他方端側（Ｚ１方向側）から壁面１ａに交差する方向（Ｘ１方向側）に延びるように設けられている。なお、天井面２ａおよび天井面１ｂは、それぞれ、特許請求の範囲の「第２面」および「第３面」の一例である。
【００２６】
複数のオープンショーケース２の各々の天井面２ａと店舗１の天井面１ｂとは、対向するように設けられているとともに互いに離間している。すなわち、オープンショーケース２の上方には、壁面１ａと、オープンショーケース２の天井面２ａと、店舗１の天井面１ｂとにより囲まれるとともに、壁面１ａと対向している側が開放されている半閉鎖空間３が形成されている。
【００２７】
また、複数のオープンショーケース２の天井面２ａの各々の表面上には、空気吹出口２ｂが設けられている。空気吹出口２ｂは、天井面２ａから凸形状に（Ｚ１方向側に）突出している。なお、空気吹出口２ｂは、オープンショーケース２に内蔵されている冷凍機２ｃの排熱吹出口である。なお、冷凍機２ｃは、オープンショーケース２内の上部側（Ｚ１方向側）に配置されている。
【００２８】
図２に示すように、複数の空気吹出口２ｂ（オープンショーケース２）は、空気の排出方向（Ｙ１方向）に沿って配列されている。また、オープンショーケース２に対してＹ１方向側において、店舗１の壁面１ｃに換気扇１ｄが設けられている。複数の空気吹出口２ｂから吹き出された空気は、空気の排出方向であるＹ１方向側に搬送され、換気扇１ｄから店舗１の外部に排出される。
【００２９】
ここで、本実施形態では、図３に示すように、複数の空気吹出口２ｂの各々は、天井面２ａの表面上において、壁面１ａの端部８０と半閉鎖空間３の開放されている側の端部９０との間の中央に対して、半閉鎖空間３の開放されている側に配置されている。すなわち、複数の空気吹出口２ｂの各々は、天井面２ａに対して垂直な方向から見て（Ｚ１方向側から見て）、オープンショーケース２の中心Ｏを通りＹ方向に延びる直線αに対して、Ｘ１方向側に配置されている。
【００３０】
また、本実施形態では、天井面２ａに対して垂直な方向から見て、一の空気吹出口２ｂからの空気の吹き出し方向の延長線上に、一の空気吹出口２ｂに対して排出方向（Ｙ１方向側）に隣接する他の空気吹出口２ｂが位置しないように、一の空気吹出口２ｂからの空気の吹き出し角度が調整されている。具体的には、空気吹出口２ｂから空気の吹き出し方向に延びる線分により囲まれる領域（たとえばハッチングされている領域）と、Ｙ１方向側に隣接する空気吹出口２ｂとがオーバーラップしないように、空気の吹き出し角度が調整されている。すなわち、空気吹出口２ｂから吹き出された空気は、Ｙ１方向側に隣接する空気吹出口２ｂと干渉しないように構成されている。
【００３１】
また、本実施形態では、複数の空気吹出口２ｂの各々は、排出方向（Ｙ１方向）に沿う方向であるとともに、壁面１ａに向かって傾斜する方向で、かつ、天井面１ｂ（図１参照）に向かって傾斜する方向に空気を吹き出すように構成されている。
【００３２】
具体的には、空気吹出口２ｂからの空気は、壁面１ａに対して角度θ１だけ傾斜する方向に吹き出される。なお、８つの空気吹出口２ｂの各々における角度θ１は、互いに等しい角度である。なお、角度θ１は、４５度よりも小さい角度である。これにより、空気が排出方向側（Ｙ１方向側）に輸送される効率を向上させることが可能である。
【００３３】
また、図４に示すように、天井面１ｂ（図１参照）に向かって空気吹出口２ｂから吹き出された空気は、天井面２ａに対して角度θ２だけ傾斜している。また、８つの空気吹出口２ｂの各々における角度θ２は、互いに等しい角度ではなく、所定のばらつきを有している。具体的には、Ｙ方向において中央近傍のオープンショーケース２の空気吹出口２ｂにおける角度θ２は、Ｙ方向における端部近傍のオープンショーケース２の空気吹出口２ｂにおける角度θ２よりも大きくなるように設定されている。
【００３４】
詳細には、図５に示すように、Ｙ２方向側から１番目のオープンショーケース２（ＳＣ１（図２参照））、および、Ｙ２方向側から８番目のオープンショーケース２（ＳＣ８（図２参照））から吹き出される空気の角度θ２（図４参照）は等しい。また、Ｙ２方向側から２番目のオープンショーケース２（ＳＣ２（図２参照））、および、Ｙ２方向側から７番目のオープンショーケース２（ＳＣ７（図２参照））から吹き出される空気の角度θ２は等しく、ＳＣ１およびＳＣ８から吹き出される空気の角度θ２よりも大きい。また、Ｙ２方向側から６番目のオープンショーケース２（ＳＣ６（図２参照））から吹き出される空気の角度θ２は、ＳＣ２およびＳＣ７から吹き出される空気の角度θ２よりも大きい。
【００３５】
また、Ｙ２方向側から５番目のオープンショーケース２（ＳＣ５（図２参照））から吹き出される空気の角度θ２は、ＳＣ６から吹き出される空気の角度θ２よりも大きい。また、Ｙ２方向側から４番目のオープンショーケース２（ＳＣ４（図２参照））から吹き出される空気の角度θ２は、ＳＣ５から吹き出される空気の角度θ２よりも大きい。また、Ｙ２方向側から３番目のオープンショーケース２（ＳＣ３（図２参照））から吹き出される空気の角度θ２は、ＳＣ４から吹き出される空気の角度θ２よりも大きい。なお、図５の空気の吹き出し角度（方向）は、概略的に図示したものである。
【００３６】
上記のように、少なくとも隣接するオープンショーケース２同士の空気の吹き出し角度を異ならせることによって、複数のオープンショーケース２から吹き出される空気同士が干渉するのを抑制することが可能である。その結果、半閉鎖空間３から空気が漏れるのを抑制することが可能である。
【００３７】
また、本実施形態では、図６に示すように、空気吹出口２ｂから吹き出され、壁面１ａにより反射された空気（図６のＡ）は、天井面１ｂ（図１参照）に沿って半閉鎖空間３の開放されている側（Ｘ１方向側）に移動する。そして、半閉鎖空間３の開放されている側に移動した空気Ａは、空気吹出口２ｂから吹き出される空気によって形成される負圧域４（図１参照）によって半閉鎖空間３内に誘引されるとともに、排出方向に向かう竜巻流（図６のＢ）を形成する。なお、図６では、簡略化のため、天井面１ｂの図示を省略している。
【００３８】
具体的には、空気吹出口２ｂから吹き出され、壁面１ａに衝突した空気の一部の空気（図６のＣ）は壁面１ａに沿って排出方向側（Ｙ１方向側）に流れるが、残りの一部の空気Ａは、半閉鎖空間３の開放されている側に移動する。半閉鎖空間３の開放されている側に移動した空気Ａは、Ｙ１方向側に隣接する空気吹出口２ｂによって形成された負圧域４によって、半閉鎖空間３内（半閉鎖空間３の上部空間）に誘引される。これにより、竜巻流Ｂが形成される。そして、負圧域４によって半閉鎖空間３内に誘引された空気が（壁面１ａおよび天井面１ｂなどと衝突することにより）再び半閉鎖空間３の開放されている側に移動した場合は、Ｙ１方向側に配置されている空気吹出口２ｂによって形成された負圧域４によって、再び半閉鎖空間３内に誘引される。この現象が繰り返されることにより、竜巻流Ｂが排出方向側（Ｙ１方向側）に向かう。
【００３９】
また、本実施形態では、図７に示すように、複数の空気吹出口２ｂの各々は、複数の板状のルーバ５を含む。具体的には、複数のルーバ５の各々は、鋼板（たとえば、ステンレスまたは炭素鋼板）製である。鋼板は、樹脂等に比べて機械的強度が比較的高いので、空気の圧力がかかるルーバ５の厚みを容易に小さくすることが可能である。その結果、ルーバ５間の風路断面積を大きくすることが可能であるとともに、ルーバ５による空気の圧力損失を小さくすることが可能である。なお、図７では、説明に不要な部材は、簡略化のため、図示を省略している。また、図７は、概略図である。
【００４０】
また、本実施形態では、複数のルーバ５は、空気の吹き出し方向の上流側（Ｚ２方向側）に設けられ、天井面１ｂ（図１参照）に対する空気の吹き出し方向の傾斜角度を制御する第１ルーバ５ａを含む。具体的には、第１ルーバ５ａの複数のルーバ５は、Ｙ方向に沿って配列されており、互いに平行になるように配置されている。
【００４１】
また、複数のルーバ５は、空気の吹き出し方向の下流側（Ｚ１方向側）において第１ルーバ５ａに積層するように設けられ、壁面１ａに対する空気の吹き出し方向の傾斜角度を制御する第２ルーバ５ｂを有する。具体的には、第２ルーバ５ｂの複数のルーバ５は、Ｘ方向に沿って配列されており、互いに平行になるように配置されている。
【００４２】
また、複数のルーバ５は、複数の空気吹出口２ｂの各々の側面に設けられる補助ルーバ５ｃを含む。具体的には、補助ルーバ５ｃは、空気吹出口２ｂのＹ１方向側およびＸ２方向側の各々の側面に設けられている。これにより、空気の吹き出し角度（具体的には角度θ２）が小さすぎるため、空気が第１ルーバ５ａのみを通り第２ルーバ５ｂを通らなかった場合でも、この空気に対して補助ルーバ５ｃにより角度を調整することが可能である。
【００４３】
また、空気搬送装置１００（図１参照）は、枠状のルーバ固定部５ｄを備えている。枠状のルーバ固定部５ｄは、第１ルーバ５ａおよび第２ルーバ５ｂの各々を固定している。ルーバ固定部５ｄは、金属（たとえば、ステンレスまたは炭素鋼板）製である。
【００４４】
また、本実施形態では、複数の空気吹出口２ｂの各々は、空気の吹き出し角度が可変に構成されている。具体的には、第１ルーバ５ａ、第２ルーバ５ｂ、および、補助ルーバ５ｃの各々は、板状のルーバ５を回動可能にするリンク機構（図示せず）に接続されている。リンク機構を調整することにより、ルーバ５の角度を任意に調整することが可能である。
【００４５】
（シミュレーション結果）
図８にシミュレーション結果１およびシミュレーション結果２を示す。シミュレーション結果１は、ＳＣ１（図２参照）およびＳＣ８（図２参照）の角度θ２が２．５度、ＳＣ２（図２参照）およびＳＣ７（図２参照）の角度θ２が４．９度、ＳＣ３（図２参照）の角度θ２が１４．４度、ＳＣ４（図２参照）の角度θ２が１２．１度、ＳＣ５（図２参照）の角度θ２が９．７度、ＳＣ６（図２参照）の角度θ２が７．３度の場合において、半閉鎖空間３（図１参照）から流出する排熱（空気）の割合を示したものである。また、シミュレーション結果２は、ＳＣ１〜ＳＣ８の角度θ２が互いに等しい場合において、角度θ２を変化させた場合（シミュレーションでは４点のデータを取得）の半閉鎖空間３から流出する排熱（空気）の割合を示したものである。なお、いずれの場合も、ＳＣ１〜ＳＣ８の角度θ１（図３参照）は２２．０度である。
【００４６】
シミュレーション結果１に示すように、この場合の排熱の流出割合は１５％というシミュレーション結果が得られた。また、シミュレーション結果２では、角度θ２を大きくするほど、排熱（空気）の流出割合が大きくなるというシミュレーション結果が得られた。なお、シミュレーション結果２の４点のデータから得られた近似線から、角度θ２が７．８度以下の場合に、排熱（空気）の流出割合が２０％以下になるというシミュレーション結果が得られた。
【００４７】
これらのシミュレーションから、少なくとも隣接するオープンショーケース２同士の空気の吹き出し角度を異ならせることによって、排熱（空気）の流出を効果的に抑制することが可能であるという結果が得られた。すなわち、少なくとも隣接するオープンショーケース２同士の空気の吹き出し角度を異ならせることによって、竜巻流Ｂ（図６参照）を効果的に形成することが可能であるとともに、排熱（空気）を効果的に排出方向側（Ｙ１方向側）（図６参照）に搬送することが可能であるという結果が得られた。
【００４８】
（本実施形態の効果）
本実施形態では、以下のような効果を得ることができる。
【００４９】
本実施形態では、上記のように、空気搬送装置１００は、半閉鎖空間３において、天井面２ａの表面上に設けられ、空気の排出方向に沿って配列される複数の空気吹出口２ｂを備える。そして、複数の空気吹出口２ｂの各々が、排出方向に沿う方向であるとともに、壁面１ａに向かって傾斜する方向で、かつ、天井面２ａに向かって傾斜する方向に空気を吹き出すように、空気搬送装置１００を構成する。ここで、空気吹出口２ｂから吹き出された空気の一部（空気Ａ）は、各面および隣接する空気吹出口２ｂから吹き出された空気と衝突して、天井面１ｂに沿って半閉鎖空間３の開放されている側に移動する。そして、排出方向に隣接する空気吹出口２ｂから空気が吹き出されることによって形成される負圧域４によって、半閉鎖空間３の開放されている側に移動した空気Ａを半閉鎖空間３内に誘引することができるとともに、排出方向に向かう竜巻流Ｂを形成することができる。すなわち、半閉鎖空間３を利用することにより、複数の空気吹出口２ｂの列を複数設けるとともに上記複数の列を互いに間隔を隔てて設けなくても、天井面２ａの表面上に複数の空気吹出口２ｂにより構成された１つの列を設けるだけで、排出方向に向う竜巻流Ｂを容易に形成することができる。これにより、竜巻流Ｂを形成して空気を排出する装置の大型化の抑制を図ることができる。
【００５０】
また、負圧域４によって、半閉鎖空間３の開放されている側に移動した空気Ａが半閉鎖空間３内に誘引されることによって、空気Ａが半閉鎖空間３外に漏れるのを抑制することができる。これにより、排熱または汚染空気が半閉鎖空間３外に漏れて室内に拡散されるのを容易に抑制することができる。
【００５１】
また、本実施形態では、上記のように、空気吹出口２ｂから吹き出され、壁面１ａにより反射されて天井面１ｂに沿って半閉鎖空間３の開放されている側に移動した空気Ａが、空気吹出口２ｂから吹き出される空気によって形成される負圧域４によって半閉鎖空間３内に誘引されるとともに、排出方向に向かう竜巻流Ｂを形成するように、空気搬送装置１００を構成する。これにより、半閉鎖空間３に形成された負圧域４を利用することにより、排出方向に向う竜巻流Ｂを容易に形成することができる。
【００５２】
また、本実施形態では、上記のように、複数の空気吹出口２ｂの各々が、天井面２ａの表面上において、壁面１ａの端部８０と半閉鎖空間３の開放されている側の端部９０との間の中央に対して、半閉鎖空間３の開放されている側に配置されるように、空気搬送装置１００を構成する。ここで、負圧域４は、周囲の風速との風速差が大きい位置に形成される。すなわち、負圧域４は、風速が最も大きい空気吹出口２ｂの近傍に形成される。したがって、負圧域４を、半閉鎖空間３の開放されている側に近い位置に形成することができる。これにより、空気が半閉鎖空間３外に漏れるのを効果的に抑制することができる。
【００５３】
また、本実施形態では、上記のように、天井面２ａに対して垂直な方向から見て、一の空気吹出口２ｂからの空気の吹き出し方向の延長線上に、一の空気吹出口２ｂに対して排出方向に隣接する他の空気吹出口２ｂが位置しないように、一の空気吹出口２ｂからの空気の吹き出し角度が調整されるように、空気搬送装置１００を構成する。これにより、一の空気吹出口２ｂから吹き出された空気と、他の空気吹出口２ｂから吹き出された空気との衝突を抑制することができるので、衝突により空気が半閉鎖空間３外にはじき出されるのを抑制することができる。その結果、空気が半閉鎖空間３外に漏れるのをさらに抑制することができる。
【００５４】
また、本実施形態では、上記のように、複数の空気吹出口２ｂの各々が、空気の吹き出し角度が可変に構成されるとともに、複数の板状のルーバ５を含むように、空気搬送装置１００を構成する。これにより、吹き出される空気の量または速度が変化した場合であっても、その変化量に対応してルーバ５の角度を調整することによって、空気の搬送に最適な吹き出し角度に変更することができる。
【００５５】
また、本実施形態では、上記のように、複数のルーバ５が、空気の吹き出し方向の上流側に設けられ、天井面１ｂに対する空気の吹き出し方向の傾斜角度を制御する第１ルーバ５ａと、空気の吹き出し方向の下流側において第１ルーバ５ａに積層するように設けられ、壁面１ａに対する空気の吹き出し方向の傾斜角度を制御する第２ルーバ５ｂとを有するように、空気搬送装置１００を構成する。これにより、第１ルーバ５ａおよび第２ルーバ５ｂの各々の角度を調整することによって、壁面１ａと天井面１ｂとに対して、容易に（広範囲に）空気の吹き出し角度を調整することができる。
【００５６】
また、本実施形態では、上記のように、複数のオープンショーケース２が壁面１ａに沿って設けられている店舗１内の半閉鎖空間３において、オープンショーケース２に内蔵されている冷凍機２ｃの排熱吹出口である空気吹出口２ｂが、複数のオープンショーケース２の各々の天井面２ａの表面上に設けられるように、空気搬送装置１００を構成する。これにより、半閉鎖空間３を利用することにより、オープンショーケース２の天井面２ａにのみ複数の空気吹出口２ｂを配列することによって、排出方向に向う竜巻流Ｂを容易に形成することができる。その結果、竜巻流Ｂを形成して空気を排出する装置の大型化の抑制を図ることができる。
【００５７】
また、負圧域４によって、半閉鎖空間３の開放されている側に移動した空気Ａが半閉鎖空間３内に誘引されることによって、空気Ａが半閉鎖空間３外に漏れるのを抑制することができる。これにより、冷凍機２ｃの排熱吹出口から吹き出される排熱が半閉鎖空間３外に漏れて店舗１内に拡散されるのを容易に抑制することができる。
【００５８】
また、本実施形態では、上記のように、上記空気搬送方法では、半閉鎖空間３において、天井面２ａの表面上に空気の排出方向に沿って配列される複数の空気吹出口２ｂの各々から、排出方向に沿う方向であるとともに、壁面１ａに向かって傾斜する方向で、かつ、天井面１ｂに向かって傾斜する方向に空気が吹き出される。そして、空気吹出口２ｂから吹き出された後、壁面１ａにより反射されて半閉鎖空間３の開放されている側に移動した空気Ａを、空気吹出口２ｂから吹き出される空気によって形成される負圧域４によって、半閉鎖空間３内に誘引するとともに排出方向に向かう竜巻流Ｂを形成して空気を搬送するように、空気搬送方法を構成する。これにより、半閉鎖空間３を利用することによって、複数の空気吹出口２ｂの列を複数設けるとともに上記複数の列を互いに間隔を隔てて設けなくても、天井面２ａの表面上に複数の空気吹出口２ｂにより構成された１つの列を設けるだけで、排出方向に向う竜巻流Ｂを容易に形成することができる。その結果、竜巻流Ｂを形成して空気を排出する装置の大型化の抑制を図ることができる。
【００５９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記実施形態では、第１ルーバと第２ルーバとが積層されている構成の例を示したが、本発明はこれに限られない。たとえば、図９に示すように、空気吹出口１２ｂには、第１ルーバ５ａのみが設けられていてもよい。
【００６１】
また、上記実施形態では、ルーバの角度をリンク機構により調整して、空気の吹き出し角度を調整する例を示したが、本発明はこれに限られない。たとえば、空気搬送装置は、ルーバ固定部に固定されたルーバの吹き出し角度を調整するためのスペーサを備えてもよい。
【００６２】
具体的には、図１０（ａ）に示すように、空気搬送装置２００は、板金が折り曲げられるように成形されたスペーサ６を備えている。スペーサ６は、互いに対向して設けられる一対の面６ａを含む。一対の面６ａの各々は、三角形形状を有する。また、スペーサ６は、一対の面６ａの間に設けられるとともに、一対の面６ａの各々に接続されている面６ｂを含む。面６ｂは矩形形状を有している。
【００６３】
図１０（ｂ）および図１０（ｃ）に示すように、スペーサ６は、ルーバ固定部５ｄの空気の吹き出し方向とは反対側（Ｚ２方向側）に配置されている。スペーサ６をルーバ固定部５ｄのＺ２方向側に配置することにより、空気吹出口１２ｂの一方端がスペーサ６により持ち上げられる。その結果、ルーバ５の吹き出し角度が変わり、空気吹出口１２ｂから吹き出される空気の角度が変わる。
【００６４】
詳細には、図１０（ｂ）に示すように、三角形形状の面６ａの先細っている頂点部分がＹ２方向側に設けられるようにスペーサ６を配置することにより、スペーサ６が設けられていない場合に比べて、空気の吹き出し角度（角度θ２（図４参照））は大きくなる。また、図１０（ｃ）に示すように、三角形形状の面６ａの先細っている頂点部分がＹ１方向側に設けられるようにスペーサ６を配置することにより、スペーサ６が設けられていない場合に比べて、空気の吹き出し角度（角度θ２）は小さくなる。なお、図１０は概略図であるとともに、簡略化のために、説明に不要な部材は図示を省略している。また、図１０（ｂ）および図１０（ｃ）では、第１ルーバ５ａのみが設けられている空気吹出口１２ｂ（図９参照）を例に図示しているが、第１ルーバ５ａと第２ルーバ５ｂとが積層されている空気吹出口２ｂ（図７参照）に対してスペーサ６を配置してもよい。
【００６５】
これにより、スペーサ６を配置するだけで空気の吹き出し角度（角度θ２）を調整することができるので、空気の吹き出し角度（角度θ２）を容易に調整することができるとともに、ルーバ５（空気吹出口１２ｂ）の構成を簡略化することができる。なお、互いに傾斜角度の異なるスペーサ６を複数種類設けることによって、複数の空気吹出口１２ｂの各々の角度を容易に異ならせることが可能である。たとえば、互いに傾斜角度の異なる３種類のスペーサ６を用いることによって、調整可能な空気の吹き出し角度を６つにすることが可能である。
【００６６】
また、上記実施形態では、空気吹出口に補助ルーバ（５ｃ）が設けられている構成の例を示したが、本発明はこれに限られない。たとえば、空気吹出口に補助ルーバ（５ｃ）が設けられていなくてもよい。具体的には、図１１に示すように、空気吹出口２２ｂには、補助ルーバが設けられていない。すなわち、空気吹出口２２ｂは、第１ルーバ５ａおよび第２ルーバ５ｂのみを用いて空気の角度を調整している。
【００６７】
また、上記実施形態では、ルーバにより空気吹出口からの空気の角度を調整する例を示したが、本発明はこれに限られない。たとえば、図１２に示すように、フレキシブルダクト３２０を含む空気吹出口３２ｂにより空気の角度を調整してもよい。
【００６８】
また、図１３に示すように、蛇腹構造の低頭ダクト４２０を含む空気吹出口４２ｂにより空気の角度を調整してもよい。低頭ダクト４２０は、天井面２ａに設けられている開口部４２１から突出するように構成されている。また、開口部４２１のうち、低頭ダクト４２０が設けられていない部分から空気が吹き出されている。低頭ダクト４２０は、Ｄ方向に回転可能に構成されており、低頭ダクト４２０が回転することにより、空気の吹き出し角度を調整することが可能である。また、低頭ダクト４２０は、蛇腹構造により、Ｅ方向に伸縮可能に構成されており、低頭ダクト４２０が伸縮することにより、空気の吹き出し角度および風量等を調整することが可能である。
【００６９】
また、図１４に示すように、ルーバ５（第１ルーバ５ａ）が設けられた空気吹出口５２ｂが、Ｄ方向に回転可能に構成されていてもよい。この場合、ルーバ５（第１ルーバ５ａ）がリンク機構により角度を調整可能に構成されていてもよい。
【００７０】
また、上記実施形態では、１つのショーケース（オープンショーケース２）に１つの空気吹出口が設けられている例を示したが、本発明はこれに限られない。たとえば、１つのショーケース（オープンショーケース２）に複数の空気吹出口が設けられていてもよい。
【００７１】
また、上記実施形態では、空気吹出口からの空気が第３面（天井面１ｂ）に向って傾斜している例を示したが、本発明はこれに限られない。たとえば、空気吹出口からの空気が第２面（天井面２ａ）に向って傾斜していてもよい。具体的には、図１５に示すように、空気搬送装置３００はオープンショーケース２の天井面２ａに向って空気を吹き出し可能な空気吹出口６２ｂを備えている。複数の空気吹出口６２ｂの各々は、排出方向（Ｙ１方向）に沿う方向であるとともに、壁面１ａに向かって傾斜する方向で、かつ、天井面２ａに向かって傾斜する方向に空気を吹き出すように構成されている。
【００７２】
また、上記実施形態では、空気吹出口がショーケース（オープンショーケース２）の天井面から突出している例を示したが、本発明はこれに限られない。たとえば、ショーケース（オープンショーケース２）の内部に吹出構造が内蔵され、ショーケース（オープンショーケース２）の天井面および空気吹出口の各々の天井面が同一の高さ位置に配置されていてもよい。
【００７３】
また、上記実施形態では、冷凍機がショーケース（オープンショーケース２）内の上部側（Ｚ１方向側）に配置されている例を示したが、本発明はこれに限られない。たとえば、空気吹出口がショーケース（オープンショーケース２）の天井面の表面上に設けられていれば、冷凍機がショーケース（オープンショーケース２）内の下部側（Ｚ２方向側）に配置されていてもよい。
【００７４】
また、上記実施形態では、半閉鎖空間が店舗の天井面に沿って延びている構成の例を示したが、本発明はこれに限られない。たとえば、半閉鎖空間が店舗の天井面に対して略垂直に延びていてもよい。
【００７５】
また、上記実施形態では、ショーケース（オープンショーケース２）が８つ設けられている例を示したが、本発明はこれに限られない。たとえば、ショーケース（オープンショーケース２）の個数は８つ以外でもよい。なお、空気吹出口が複数設けられていれば、ショーケース（オープンショーケース２）は１つであってもよい。
【００７６】
また、上記実施形態では、冷凍機の排熱を空気搬送装置により搬送する例を示したが、本発明はこれに限られない。たとえば、汚染された空気を空気搬送装置により搬送してもよい。
【００７７】
また、上記実施形態では、ショーケースがオープンショーケースである例を示したが、本発明はこれに限られない。たとえば、ショーケースがクローズショーケースであってもよい。
【００７８】
また、上記実施形態では、第１ルーバの複数のルーバはＹ方向に沿って配列されており、第２ルーバの複数のルーバはＸ方向に沿って配列されている構成の例を示したが、本発明はこれに限られない。たとえば、第１ルーバの複数のルーバがＸ方向に沿って配列されており、第２ルーバの複数のルーバはＹ方向に沿って配列されていてもよい。また、第１ルーバの複数のルーバ、および、第２ルーバの複数のルーバの各々が、ＸＹ平面内において斜め方向に沿って配列されていてもよい。
【００７９】
また、上記実施形態では、ルーバは鋼板製である例を示したが、本発明はこれに限られない。たとえば、ルーバは樹脂製であってもよい。
【００８０】
また、上記実施形態では、店舗内における半閉鎖空間を用いて空気を搬送する例を示したが、本発明はこれに限られない。たとえば、店舗以外における半閉鎖空間により空気を搬送してもよい。
【００８１】
上記実施形態では、ルーバ固定部が金属製である例を示したが、本発明はこれに限られない。たとえば、ルーバ固定部は、樹脂製であってもよい。
【符号の説明】
【００８２】
１  店舗
１ａ  壁面（第１面）
１ｂ  天井面（第３面）
２  オープンショーケース（ショーケース）
２ａ  天井面（第２面）
２ｂ、１２ｂ、２２ｂ、３２ｂ、４２ｂ、５２ｂ、６２ｂ  空気吹出口
２ｃ  冷凍機
３  半閉鎖空間
４  負圧域
５  ルーバ
５ａ  第１ルーバ
５ｂ  第２ルーバ
５ｄ  ルーバ固定部
６  スペーサ
８０  端部（第１面側の端部）
９０  端部（半閉鎖空間の開放されている側の端部）
１００、２００、３００  空気搬送装置
Ａ  空気（半閉鎖空間の開放されている側に移動した空気）
Ｂ  竜巻流
【図１】
2019066075.tif 000003
【図２】
2019066075.tif 000004
【図３】
2019066075.tif 000005
【図４】
2019066075.tif 000006
【図５】
2019066075.tif 000007
【図６】
2019066075.tif 000008
【図７】
2019066075.tif 000009
【図８】
2019066075.tif 000010
【図９】
2019066075.tif 000011
【図１０】
2019066075.tif 000012
【図１１】
2019066075.tif 000013
【図１２】
2019066075.tif 000014
【図１３】
2019066075.tif 000015
【図１４】
2019066075.tif 000016
【図１５】
2019066075.tif 000017